(57)【要約】【課題】ブラケットに掛かる荷重をボルトの剪断力で支持することができるようにし、階段に対するレールの取付け強度を十分に確保することができるいす式階段昇降機のレールブラケットを提供する。【解決手段】階段Ａの下段の踏み板Ｂに固定するＬ型の第１ブラケット２と、階段Ａの上段の踏み板Ｃに固定するＬ型の第２ブラケット３の組み合わせからなり、上記第１ブラケット２と第２ブラケット３はそれぞれ踏み板Ｂ、Ｃにボルト１２と１７で固定し、第１ブラケット２と第２ブラケット３の接続板８、１６を、互いに重ね合わせた状態で複数組の繋ぎボルト４とナット５を用いて接続する。【選択図】  図２
2004344341.tif 000002
【特許請求の範囲】
【請求項１】
階段の踏み板に固定するための取付け孔が設けられた取付け板の一方の端部に垂直で起立する接続板を設けたＬ型の第１ブラケットと、階段の踏み板に固定するための取付け孔が設けられた取付け板の一方端部に垂下する接続板を設けたＬ型の第２ブラケットの組み合わせからなり、上記第１ブラケットと第２ブラケットの接続板を、互いに重ね合わせた状態で複数組の繋ぎボルトとナットを用いて接続するようにしたいす式階段昇降機のレールブラケット。
【請求項２】
上記第１ブラケットは取付け板の上面にレール側ブラケットの繋ぎ部材が設けられ、この第１ブラケットと第２ブラケットの接続板の一方に、繋ぎボルトを挿通する上下方向の長孔と、同他方にこの長孔に重なるボルト挿通孔を設け、繋ぎボルトとナットによる両接続板の接続を、長孔の範囲で上下に調整可能とした請求項１に記載のいす式階段昇降機のレールブラケット。
【発明の詳細な説明】
【０００１】
【発明の属する技術分野】
この発明は、いすに座った状態で階段を昇降するいす式階段昇降機のレールを階段に固定するために用いるレールブラケットに関する。
【０００２】
【従来の技術】
近年、高齢者社会への移行と共に、家庭における階段の昇降に不便を来す人が増加しており、その対策として、階段にいす式階段昇降機を設置することが行われている。
【０００３】
上記いす式階段昇降機は、いすに座った状態で階段の昇り降りができるので、足の不自由な人に大いに役だっている。
【０００４】
いす式階段昇降機の構造は、階段上の所定高さ位置にこの階段の勾配に合わせてレールを固定配置し、このレールにいすを備えた階段昇降機を該レールに沿って走行するよう取付け、階段昇降機に座った状態で階段昇降機を走行させることにより、階段の下階フロアと上階フロアの間を昇降できるようになっている。
【０００５】
従来、上記いす式階段昇降機のレールを階段に固定するための取付け構造は、階段の踏み板に固定するための取付け孔と、その上面にレール側ブラケットの繋ぎ部材が設けられた水平取付け板の一方の端部に、階段の蹴り板に固定するための取付け孔が設けられた垂直取付け板を連成したＬ型のブラケットを用い、このブラケットを、階段の踏み板と蹴り板のコーナ部分に沿わせ、水平取付け板を踏み板に、また、垂直取付け板を蹴り板にそれぞれボルトで固定し、水平取付け板の繋ぎ部材にレール側ブラケットを締結することにより、階段上にレールを傾斜状に配置するようになっている。
【０００６】
【発明が解決しようとする課題】
ところで、上記取付け構造において、階段に沿って傾斜状に配置されたレールをＬ型のブラケットに取付け、このレールにいすを備えた階段昇降機が片持ち状態で装着されているので、上記取付け構造において、レールを支持するＬ型のブラケットを固定するボルトには、階段の下がり側へ向けての直線的な引っ張りモーメントと、階段昇降機側へ向けての回転モーメントの合成された荷重が作用することになり、この合成された荷重にボルトの引き抜き方向の成分が存在することになる。
【０００７】
これに対して、ボルトの荷重支持力は引き抜き方向の力に対して弱いことは良く知られており、このため、上記合成された荷重の内、ボルトの引き抜き方向の成分に対してボルトは支持力が弱いことになり、上記取付け構造では、階段に対するレールの取付け強度を十分に確保しようとする上において難点がある。
【０００８】
また、木製の階段の場合、ブラケットの取付けはコーチスクリュー等を使用するが、コーチスクリュー等の使用は引き抜きトルクの管理が不可能となり、引き抜き方向の力に対して強度の確保が困難である。
【０００９】
そこで、この発明の課題は、ブラケットのボルトに掛かる荷重を、ボルトの剪断力で支持することができるようにし、ボルトの剪断方向の強度の管理が可能となることで、階段に対するレールの取付け強度を十分に確保することができるいす式階段昇降機のレールブラケットを提供することにある。
【００１０】
【課題を解決するための手段】
上記のような課題を解決するため、この発明は、階段の踏み板に固定するための取付け孔が設けられた取付け板の一方の端部に垂直で起立する接続板を設けたＬ型の第１ブラケットと、階段の踏み板に固定するための取付け孔が設けられた取付け板の一方端部に垂下する接続板を設けたＬ型の第２ブラケットの組み合わせからなり、上記第１ブラケットと第２ブラケットの接続板を、互いに重ね合わせた状態で複数組の繋ぎボルトとナットを用いて接続するようにした構成を採用したものである。
【００１１】
上記第１ブラケットは取付け板の上面にレール側ブラケットの繋ぎ部材が設けられ、この第１ブラケットと第２ブラケットの接続板の一方に、繋ぎボルトを挿通する上下方向の長孔と、同他方にこの長孔に重なるボルト挿通孔を設け、繋ぎボルトとナットによる両接続板の接続を、長孔の範囲で上下に調整可能とした構造とすることができる。
【００１２】
ここで、第１ブラケットは下段の踏み板に、第２ブラケットはそれよりも上段の踏み板にそれぞれの取付け板を重ねてボルトで固定し、第１ブラケットと第２ブラケットの重ね合わせた接続板を、長孔とボルト挿通孔に挿通した繋ぎボルトと、これに螺合したナットの締め付けで固定化すれば、第１ブラケットと第２ブラケットは結合され、第１ブラケットの繋ぎ部材にレールをレール側ブラケットで取り付けた状態で、第２ブラケットを固定するボルトには、第１ブラケットと結合された接続板の部分を介して、階段の下がり側へ向けての直線的な引っ張りモーメントと、階段昇降機側へ向けての回転モーメントの合成された荷重が作用することになる。
【００１３】
この合成された荷重は、第２ブラケットの取付け板を踏み板に固定するボルトに対して剪断方向に作用し、従って、上記荷重を上記ボルトの剪断力で支持することになるので、階段に対するレールの取付け強度を十分に確保することができる。
【００１４】
【発明の実施の形態】
以下、この発明の実施の形態を説明する。
【００１５】
図示のように、いす式階段昇降機のレールブラケット１は、階段Ａにおける下階の踏み板Ｂに固定する第１ブラケット２と、上段の踏み板Ｃに固定する第２ブラケット３と、第１ブラケット２と第２ブラケット３を結合する繋ぎボルト４及びナット５の組み合わせによって構成され、階段Ａに固定して結合状態とした第１ブラケット２と第２ブラケット３の外面を上下に分割したカバー６、６で覆うようになっている。
【００１６】
上記第１ブラケット２は、強度のある金属板を用い、踏み板Ｂに固定する取付け板７の一方の端部に垂直で起立する接続板８を設けたＬ型に形成され、取付け板７の上面にレール９に設けたブラケット１０の繋ぎ部材１１が立設され、この取付け板７に階段Ａの踏み板Ｂにボルト１２とナットで固定するための取付け孔１３と、カバー６を固定するためのねじ孔１４それぞれが複数設けられている。
【００１７】
上記第２ブラケット３は、強度のある金属板を用い、踏み板Ｃに固定する取付け板１５の一方の端部に垂下する接続板１６を設けたＬ型に形成され、取付け板１５にボルト１７とナットで階段Ａの踏み板Ｃに固定するための取付け孔１８と、カバー６を固定するためのねじ孔１９それぞれが複数設けられている。
【００１８】
上記第１ブラケット２における接続板８には、上部の両側二箇所の位置に繋ぎボルト４の挿通孔２０と、中央部の途中から下部の位置に、上下方向の長孔２１が設けられている。
【００１９】
また、第２ブラケット３における接続板１６には、上部の両側二箇所の位置に上下方向の長孔２２と、中央部で下部の位置に繋ぎボルト４の挿通孔２３が設けられている。
【００２０】
上記第１ブラケット２と第２ブラケット３は、互いの接続板８と１６が重なり合う状態で階段Ａに固定し、重なり合う両接続板８と１６は、繋ぎボルト４の挿通孔２０が長孔２２に、また、長孔２１が繋ぎボルト４の挿通孔２３にそれぞれ重なり合って連通する位相となるよう設けられ、これら連通する挿通孔２０と長孔２２及び挿通孔２３と長孔２１に繋ぎボルト４をそれぞれ挿通し、繋ぎボルト４とこれに螺合したナット５の締結により、両接続板８と１６を結合一体化するようになっている。
【００２１】
上記のように、繋ぎボルト４による両接続板８と１６の結合部分を、挿通孔２０と長孔２２及び挿通孔２３と長孔２１の組み合わせで形成することにより、両接続板８と１６の結合が上下に位置調整自在となり、階段Ａの上下踏み板ＢとＣの高さの変化に対応することができるようになる。
【００２２】
なお、第１ブラケット２と第２ブラケット３の幅は、カバー６、６の取付け後において、階段Ａの壁面から１００ｍｍ以内に納まるように設定されている。
【００２３】
また、図示省略したが、周知のように、いす式階段昇降機は、階段Ａ上の所定高さ位置にレールブラケット１を取付け、レール９に設けたブラケット１０を第１ブラケット２の繋ぎ部材１１にボルト２４で締結することにより、階段Ａの勾配に合わせてレール９を固定配置し、このレール９にいす式の階段昇降機を該レール９に沿って走行するよう取付け、階段昇降機に座った状態で階段昇降機を走行させることにより、階段Ａの下階フロアと上階フロアの間を昇降できるようになっている。
【００２４】
この発明のレールブラケット１は、上記のような構成であり、階段Ａにレール９を固定するには、第１ブラケット２を下段の踏み板Ｂ上に接続板８が蹴り板側に位置するよう重ね、取付け孔１３を利用してその取付け板７を踏み板Ｂにボルト１２とナットで固定する。
【００２５】
第２ブラケット３はそれよりも上段の踏み板Ｃに取付け板１５を重ね、その下向きとなる接続板１６を第１ブラケット２の接続板８に重ね、この状態で第２ブラケット３の取付け板１５を取付け孔１８を利用して踏み板Ｃにボルト１７とナットで固定する。
【００２６】
次に、重なり合う接続板８、１６の連通する挿通孔２０と長孔２２及び長孔２１と挿通孔２３に繋ぎボルト４を挿通し、この繋ぎボルト４とこれに螺合したナット５の締結により、両接続板８、１６を結合一体化することにより、第１ブラケット２と第２ブラケット３を接続する。
【００２７】
上記両接続板８、１６の結合は、長孔２１と２２の形成により上下の結合位置を調整でき、上下踏み板ＢとＣの高さの変化に対応することができ、第１ブラケット２と第２ブラケット３は、カバー６、６によって覆うようにする。
【００２８】
このようにして、階段Ａの所定位置にレールブラケット１を固定し、この後、各レールブラケット１において、第１ブラケット２の取付け板７に設けた繋ぎ部材１１にボルト２４でレール９のブラケット１０を締結することにより、階段Ａに沿ってレール９を配置することができる。
【００２９】
上記のようにレール９を支持するレールブラケット１は、第１ブラケット２と第２ブラケット３の重ね合わせた接続板８、１６を繋ぎボルト４とこれに螺合したナット５の締め付けで締結されているので、第１ブラケット２の繋ぎ部材１１にレール９をブラケット１０で取り付けた状態で、第２ブラケット３を踏み板Ｃに固定するボルト１７には、第１ブラケット２と結合された接続板８、１６の部分を介して、階段Ａの下がり側へ向けての直線的な引っ張りモーメントと、階段昇降機側へ向けての回転モーメントの合成された荷重が作用することになる。
【００３０】
この合成された荷重は、第２ブラケット３の取付け板１５を踏み板Ｃに固定するボルト１７に対して剪断方向に作用し、従って、上記荷重を上記ボルト１７の剪断力で支持することになるので、階段Ａに対するレール９の取付け強度を十分に確保することができ、上記第２ブラケット３の取付け板１５を踏み板Ｃに固定するボルト１７の剪断方向の強度の管理は可能となるので、レール９の取付け強度の安定化が図れることになる。
【００３１】
【発明の効果】
以上のように、この発明によると、Ｌ型の第１ブラケットと第２ブラケットの組み合わせからなり、上記第１ブラケットと第２ブラケットの接続板を、互いに重ね合わせた状態で複数組の繋ぎボルトとナットを用いて接続するようにしたので、階段に配置するレールを支持した状態で、階段の下がり側へ向けての直線的な引っ張りモーメントと、階段昇降機側へ向けての回転モーメントの合成された荷重は、第１ブラケットを介して第２ブラケットの取付け板を踏み板に固定するボルトに対して剪断方向に作用することになり、レール側からの荷重を上記ボルトの剪断力で支持することができ、これにより、階段に対するレールの取付け強度を十分に確保することができる。
【００３２】
また、ボルトの剪断方向の強度の管理は可能となるので、レールの取付け強度の確保と安定化が図れることになる。
【図面の簡単な説明】
【図１】いす式階段昇降機のレールブラケットを示す分解斜視図
【図２】いす式階段昇降機のレールブラケットを用いたレールの階段への取付け状態を示す縦断正面図
【図３】同上の横断平面図
【図４】レールブラケットの第１ブラケットと第２ブラケットの接続部分を示す側面図
【符号の説明】
１      レールブラケット
２      第１ブラケット
３      第２ブラケット
４      繋ぎボルト
５      ナット
６      カバー
７      取付け板
８      接続板
９      レール
１０    ブラケット
１１    繋ぎ部材
１２    ボルト
１３    取付け孔
１４    ねじ孔
１５    取付け板
１６    接続板
１７    ボルト
１８    取付け孔
１９    ねじ孔
２０    挿通孔
２１    長孔
２２    長孔
２３    挿通孔
２４    ボルト
【図１】
2004344341.tif 000003
【図２】
2004344341.tif 000004
【図３】
2004344341.tif 000005
【図４】
2004344341.tif 000006